(57)【要約】【課題】洗面化粧台に水受けトレイを設置した場合であっても、収納スペースの邪魔にならず、かつ水受けトレイに溜まった水の排水も容易であり、また、シャワーホース長さを余分に取る必要がないため、材料コストも安価であり、特別に寒冷地専用品を揃える必要がないため製品管理コストも安価にすることができる洗面化粧台を提供する。【解決手段】洗面ボウルの上方に設置されたパネルにおいて、シャワーホースを介して接続された吐水具を自在に引き出せる水栓本体が該パネルに取付けられ、該パネルの裏面側に該水栓本体から連通された該シャワーホースを収容し、該シャワーホースから伝わる水を受ける略四角柱状で上面が開放された水受けトレイを該パネルの裏面内に該パネルと一体的に設けたことを特徴とする。【選択図】  図１
2004255028.tif 000002
【特許請求の範囲】
【請求項１】
洗面ボウルの上方に設置されたパネルにおいて、シャワーホースを介して接続された吐水具を自在に引き出せる水栓本体が該パネルに取付けられ、該パネルの裏面側に該水栓本体から連通された該シャワーホースを収容し、該シャワーホースから伝わる水を受ける略四角柱状で上面が開放された水受けトレイを該パネルの裏面内に該パネルと一体的に設けたことを特徴とする洗面化粧台。
【請求項２】
請求項１において、該シャワーホースを挿通して外周を自由に動くことが可能な環状の係止具と接続された弾性体が、前記水受けトレイ内の下面部に接続されてなる、該シャワーホースの該水受けトレイ内への収納を補助するシャワーホース収容補助装置を、該水受けトレイ内に備えていることを特徴とする洗面化粧台。
【請求項３】
請求項１、請求項２に記載の水受けトレイに溜まった水を排水する為の水抜き口が該水受けトレイ下面部に設けられ、かつ、開閉装置を一端に備えた排水ホースが該水抜き口に接続されていることを特徴とする洗面化粧台。
【発明の詳細な説明】
【０００１】
【発明の属する技術分野】
本発明は、シャワーホース用の水栓と該シャワーホースから伝わる水を受ける水受けトレイを有する洗面化粧台に関するものである。
【０００２】
【従来の技術】
従来のこの種のものとしては、洗面ボウルの奥側に水栓取付用ホルダーを設置し、この水栓取付用ホルダーの前面に洗髪用水栓を取付けるようにしたものが公知である（例えば、特許文献１参照のこと。）。
【０００３】
この場合、使用者が洗髪行為などを行った際に、引き出したホースに飛び散った水が付着する為、この吐水ヘッドに繋がるホースを伝って落ちる水を受ける水受けが必要となる。例えば、シャワーホース用水栓が取付けられたホルダーに水受けトレイを一体化しているものも開示されている（特許文献２参照のこと）。このホルダーを洗面台上への設置時に、洗面台に設けた開口に水受けトレイ部を差込んで取付けている。また、水受けトレイを化粧台内へ取付けているものもある。
【０００４】
上記のような形態の引出し可能なシャワーホース用水栓の取付け座面は、図１０に示すように、水平面、若しくは後方上方傾斜面のような所謂上向き面に取付けられている。引き出されたシャワーホース９２を取付け座面内へ収納する時は、水栓取付面下にあるシャワーホース９２の自重で引き出された分のシャワーホース９２が戻るものである。その為に十分な余長をとり、シャワーホース９２をすべて引き出した場合でも自重で戻らなくなることがないように、ストッパー９１等の別部品を設けてシャワーホース９２の引出し代を制限し、水栓取付面下に余長分のシャワーホース９２が垂れ下がっている。従って、引出し代以上のシャワーホース長さを設定する必要があった。
【０００５】
【特許文献１】
実公平３−３７４８１号公報
【特許文献２】
特開平９−２５０１５３号公報
【０００６】
【発明が解決しようとする課題】
しかし、上記従来例では、水栓取付面下に垂れ下がっているシャワーホースを収納する水受けトレイが洗面台内奥のスペースを占領して、化粧台としての収納スペースを制限してしまう。そして水受けトレイに溜まった水を排水する場合は、洗面台内奥で排水作業をすることになり非常に面倒で作業しずらい。さらに、上記理由によりシャワーホース長さが必要以上の長さで設定されて余分な材料コストを強いられている欠点もある。さらに寒冷地で使用する場合は、シャワーホースをすべて引き出した場合でも水栓取付面下に残っている余長分がＵ字形状を形成し、この部分に溜まった水を抜く為の水抜き栓が必要になり、一般地品とは別に寒冷地専用品を設定する必要がある。
本発明は、上記の問題に鑑みてなされたものであり、洗面化粧台に水受けトレイを設置した場合であっても、収納スペースの邪魔にならず、かつ水受けトレイに溜まった水の排水も容易であり、また、シャワーホース長さを余分に取る必要がないため、材料コストも安価であり、特別に寒冷地専用品を揃える必要がないため製品管理コストも安価にすることができる洗面化粧台を提供することを目的とする。
【０００７】
【課題を解決するための手段】
第１の発明では、洗面ボウルの上方に設置されたパネルにおいて、シャワーホースを介して接続された吐水具を自在に引き出せる水栓本体が該パネルに取付けられ、該パネルの裏面側に該水栓本体から連通された該シャワーホースを収容し、該シャワーホースから伝わる水を受ける略四角柱状で上面が開放された水受けトレイを該パネルの裏面内に該パネルと一体的に設けたことを特徴とする洗面化粧台を提供する。
【０００８】
本発明によれば、水受けトレイをパネル裏面内に設置して、洗面台内へは該水受けトレイと接続された排水ホースが垂れ下がってくるだけである為、洗面台内は十分な収納スペースを確保できる。また、水受けトレイは水栓が装着されたパネルと一体となっているため、洗面化粧台の施工時に別途水受けトレイを設置する手間が省け、容易に施工を実施できる。
【０００９】
第２の発明では、請求項１において、該シャワーホースを挿通して外周を自由に動くことが可能な環状の係止具と接続された弾性体が、前記水受けトレイ内の下面部と接続されてなる、該シャワーホースの該水受けトレイ内への収納を補助するシャワーホース収容補助装置を、該水受けトレイ内に備えていることを特徴とする洗面化粧台を提供する。
【００１０】
本発明によれば、シャワーホースにストッパー等の別部品を設けてシャワーホースの引出し代を制限することなく、シャワーホースをすべて引き出した場合でも再び容易に水受けトレイにシャワーホースを収容できる。さらに引き出し自在なシャワーホース用水栓がパネルに設置され、シャワーホースの収納経路が湾曲した場合でも容易に水受けトレイ内に収納することができる。また、全てシャワーホースを引き出した場合でも水栓取付面下方にできるＵ字形状をした余長分を無くすことが出来る為、シャワーホースの材料費を安価にすることができ、かる、寒冷地で使用する場合でもこの部分の水抜き栓設置が不要になる。従って、特別に寒冷地専用品を揃える必要がないため製品管理コストも安価にすることができる。
【００１１】
第３の発明では、請求項１、請求項２に記載の水受けトレイに溜まった水を排水する為の水抜き口が該水受けトレイ下面部に設けられ、かつ、開閉装置を一端に備えた排水ホースが該水抜き口に接続されていることを特徴とする洗面化粧台を提供する。
【００１２】
本発明によれば、水受けトレイをパネル内でコンパクトに設定でき、洗面台内の収納スペースを狭めることなく水受けトレイに溜まった水を排水することができる。また排水ホースの長さが自由に設定できる為、洗面台の前面の開閉扉付近まで届く程の排水ホース長さを設定すると、排水ホース先端にある開閉装置を取扱う排水作業も容易に行うことができる。
【００１３】
【発明の実施の形態】
以下に図面を参照して本発明をより具体的に説明する。
図１は一実施の形態である洗面化粧台の分解斜視図、図２は図１で示される洗面化粧台の正面図、図３は図１で示される洗面化粧台のパネルの裏面図、図４は図３において、シャワーホースが最大限に引き出された場合のパネル裏面図、図５は図２で示されるパネルの支持管部の断面図、図６は図２において、シャワーホースが最大限に引き出された場合の断面図、図７は図２で示されるパネルの混合水栓部の断面図、図８は図１で示される洗面化粧台の正面図、図９は図１で示される洗面化粧台の洗面ボウルとパネルとミラーキャビネットの一部の側面図、図１０は従来技術の一実施の形態であるパネル正面図を示している。
【００１４】
洗面化粧台１はキャビネット１１上に洗面ボウル１２が取付けられた洗面台１０と、洗面ボウル１２のバックガード１２１の奥側に立設させたパネル１３と、パネル１３の裏面に、これと一体となるように取付けられている水受けトレイ１４と、パネル１３の上側に取付けられるミラーキャビネット１５と、パネル１３に取付けられた支持管２２と該支持管２２に着脱可能に構成された吐水具１６と、該吐水具１６と混合水栓１８を繋ぐシャワーホース１７等から構成されている。
【００１５】
洗面ボウル１２は後部に上方へ突出するバックガード１２１が形成されており、キャビネット１１上面に設置された時にバックガード１２１裏面とキャビネット１１後面とに隙間Ｃが設けられている。この隙間Ｃは、パネル１３に取付けられる混合水栓１８に接続する給水管１９、給湯管２０及びパネル１３に取付けられる水受けトレイ１４に溜まった水を排水する排水ホース２１が通るための隙間Ｃである。図９に示すようにこの隙間Ｃを大きくとると洗面ボウル１２の奥行きが狭くなることになるので、上記管類が挿通できる必要最小限の隙間Ｃとするのが望ましい。本発明では、この隙間Ｃを４０ｍｍ程度とした。
【００１６】
パネル１３は、後方下方に傾斜する傾斜角αを有しており、この傾斜面１３１に設けた開口にシャワーホース１７の吐水端に接続した吐水具１６を支持する支持管２２が取付けられている。図７に示すように支持管２２の側方の鉛直面１３２に設けた開口には混合水栓１８が取付けられている。もちろん支持管２２も傾斜面のみならず鉛直面に取付けても良い。本発明では、この傾斜角αを３０°とし、吐水具１６は吐水方向が洗面ボウル１２内を向くように支持管２２に設置されている。同時に図２に示すように、支持管２２はパネル１３に対して回転可能に保持されており、支持管２２を回転させることにより吐水位置の高さが可変となる。
【００１７】
このパネル１３は、図１で示されるように、左右の長手方向サイズがキャビネット１１と同一サイズに形成され、前後の幅方向サイズが洗面ボウル１２のバックガード１２１前方からキャビネット１１の後端までの箱状のものであり、前部側下部には、洗面ボウル１２のバックガード１２１に嵌め込まれる凹部が形成されている。パネル１３の上面部１３３には、支持管２２と混合水栓１８の組付け用、及びメンテナンス用として開口部１００を設けており、上面部１３３の後部に上方へ突出するバックガード１３４が形成され、壁面に固定する為のビス穴１３５が設けられている。
【００１８】
図３に示すように、水受けトレイ１４は、シャワーホース１７を収容し、使用者の洗髪行為や掃除などでシャワーホース１７の外周に付いて伝わってくる垂れ水を集めるものである。この水受けトレイ１４は略四角柱状で上面は開放されており、シャワーホース１７が建築物の壁面に接触して濡らすことがないようにガード部１４５を設けている。下面部には排水用の開口部１４１とシャワーホース１７を収容するためのシャワーホース収容補助装置１４２が設けてある。排水用の開口部１４１は排水ホース２１と容易に接続できるように竹の子形状をした筒状としている。ここでいう竹の子形状とは、下方に向けて拡径した段差部を複数備えた構造をいう。これに排水ホース２１の一端をホースクリップ２１１で接続し、他端には水抜き栓２１２が螺着されている。使用者が排水ホース２１先端に接続された水抜き栓２１２を操作できるように、洗面ボウル１２のバックガード１２１裏面とキャビネット１１後面との隙間を通って洗面台内まで垂れ下がっている。水抜き栓２１２は、排水ホース２１内の水を排水できる構造のものであれば良く、キャップ形状のものや内部にボールバルブを備えた物等が考えられる。本実施例では、比較的安価なキャップ形状のものを採用している。
【００１９】
一般的に洗面台の中には、洗剤類、タオル類、バケツなど雑多な品物が置かれており、洗面台奥側に設置された水受けトレイ１４の水を抜く作業は困難で、荷物を外に出してから作業をしなくてはならなく大変手間である。従って、排水ホース２１の長さは図１に示すように排水ホース２１ａの水抜き栓２１２を洗面台の開閉扉１１１付近まで届く長さに設定すると、荷物を外に出す手間もなく排水作業が手元でできるので便利である。もちろん、使用者が水が溜まっているかどうか判別できるように排水ホース２１、２１ａは透明度が高いものが好ましい。この水抜き栓２１２を開にすると水受けトレイ１４に溜まった水が排水できる。
【００２０】
また、図３に示すように排水がスムーズに行えるように水受けトレイ１４の下面１４３は排水用の開口部１４１に向かった傾斜面とし、洗面台内まで突出してこないように水受けトレイ１４の下面１４３をパネル１３下端程度までに抑えているので、洗面台内の収納スペースを広く使用することができる。
【００２１】
一方、シャワーホース収容補助装置１４２は、ばねや空気圧シリンダー等の弾性体を使用するが、ここでは引きばね１４４を使用している。その場合は、引きばね１４４の係止部を設ける必要があるが、水受けトレイは一般に樹脂で成形され、係止部を箱型形状内に一体で成形することは困難な場合が多いことから、本発明では、引きばね１４４の係止部を設けた別部品２３を水受けトレイ１４内に装着し、これを引きばね１４４の係止部とした。図３の拡大部はその一例である。フック部を設けた別部品２３に引きばね１４４を装着し、水受けトレイ１４の下面外側から挿入してねじ２５などで装着する。別部品２３の挿入部位は引きばね外径よりも大きく、水受けトレイ１４の開口部をシールする為のパッキン２４が装着されている。
【００２２】
このように箱型形状をした水受けトレイ１４内にシャワーホース収容補助装置１４２を設置する場合は、箱型の上方開放面からの部品装着は作業難になる為、上述のように引きばね１４４が装着された別部品２３を、水受けトレイ１４の外側方向から装着した方が作業楽になり好ましい。この引きばね１４４の他端側は、シャワーホース１７を挿通して外周を自由に動くことができる環状のホースガイド２６を介してシャワーホース１７と接続されている。
【００２３】
水受けトレイ１４は、支持管２２から混合水栓１８に繋がるシャワーホース１７を収容でき、かつ引きばね１４４がシャワーホース１７を収容するのに最適な引力が働く位置にくるようにパネル１３裏面に取付ける必要がある。
【００２４】
例えば、図５のようにパネル１３傾斜面に支持管２２を取付けた場合には、シャワーホース１７の摺動経路が湾曲状となり、吐水具１６を引き出した時のシャワーホース１７の出し入れ性（摺動性）が悪化する。従って、特に湾曲している支持管２２の出口には、Ｒ形状をしたカバー２７を装着してシャワーホース１７が滑らかに摺動するようにしている。
【００２５】
同時に図３に示すように、シャワーホース収容補助装置１４２位置を支持管２２取付け中心位置より混合水栓１８とは逆方向にｔだけずらした位置にくるように水受けトレイ１４をパネル１３に取付けると、シャワーホース１７はスムーズに水受けトレイ１４に収納できる。即ち、上記補助装置１４２によるシャワーホース１７を引込む方向がポイントとなる。これは図６に示すようにシャワーホース１７の引出し代Ｓ、シャワーホース収容補助装置１４２位置からの高さｈにもよるが、例えばＳが４００ｍｍ、ｈが２００ｍｍ程度の場合、ｔを１５０ｍｍ程度とすると良い。もちろんこの取合い寸法の条件のもとで、引きばね１４４の自然長、ばね定数を変化させるとシャワーホース１７の引出し性、収納性が変わるものである。
【００２６】
パネル１３への水受けトレイ１４の取付けは、ねじなどでの固定若しくは接着剤による固定により行われ、パネル１３の裏面内に一体的に取り付けられる。シャワーホース収容補助装置１４２のメンテなどのため、ねじなどによる固定が適している。ねじなどでの固定では、一般にパネルは樹脂で成形される為に、裏面にはねじ止め用のボスがたてられる。この場合はボス部が厚肉になる為にパネル表面にヒケの発生が懸念される。しかし、図３のように、パネル１３裏面に洗面ボウル１２のバックガード１２１に嵌め込まれる凹部より下方位置にボス１３３ａを設け、この位置にねじで水受けトレイ１４を固定するようにすれば、仮にヒケが発生した場合でもバックガード１２１で隠れて見えなくなり外観を損ねることがない。
【００２７】
このように水受けトレイ１４内にシャワーホース収容補助装置１４２を設けることによってシャワーホース１７先端に接続した吐水具１６を、図４に示すように最大限に引き出した場合でも、パネル１３裏面側に従来のＵ字形状をしたシャワーホース１７の余長分を設けることなく、スムーズに吐水具１６を支持管２２に戻すことができる。同時にこれはシャワーホース１７余長分のコスト削減、及び寒冷地使用の場合はＵ時形状内の水を抜く為の水抜き栓が不要になり品番削減、コスト削減にもなる。
【００２８】
また、図１０に示すように、従来技術ではシャワーホースの引出し代を制限する為のストッパー９１をシャワーホース９２に設置していたがこれも不要となる。しかしながら、力まかせにシャワーホース１７を最大限に引き出された場合には、ストッパー９１が無い為にシャワーホース１７と混合水栓１８本体の接続部に負荷がかかり水漏れ等が懸念され好ましくない。図４に示すように、これは結束バンド２８等でシャワーホース１７とパネル１３上面を固定することによって接続部の負荷が軽減され解決できる。
【００２９】
一方でストッパーが無い分、このシャワーホース収容補助装置１４２を利用すれば、ばね力により引出し長さに比例して引出し操作力が大きくなってくるので、引き出し代の制限長さに近づいていることを感覚的に知らせる効果もある。本発明では、最大限にシャワーホース１７を引き出した時のばね力を１５Ｎ程度としている。
【００３０】
このように構成された洗面化粧台においては、混合水栓１８のレバーハンドルを操作することにより、吐水具１６から吐水、止水することができる。そして洗髪行為や洗面ボウル内の清掃時には吐水具１６を掴んで支持管２２から引き出して使用でき、吐水具１６を支持管２２に装着した状態でも吐水することができる。また、手洗い行為や洗面行為のような通常使用のときは、支持管２２を回転収納した状態でも使用できる。使用中にシャワーホース１７に付着した水は、支持管２２の下部に設けた排水用穴２２０から洗面ボウル１２内に垂れるか、或いは水受けトレイ１４に導入されて溜まっていく。図１に示すように、この溜り水は水受けトレイ１４の排水口を通り排水ホース２１に溜まっていくものである。
【００３１】
最後に、この洗面化粧台の据付け手順について図８で簡単に説明する。まず、水受けトレイ１４と一体的に形成されているパネル１３に混合水栓１８と支持管２２を取付けるとともに、この混合水栓１８の本体部に水配管１９と湯配管２０とを取付ける。続いてシャワーホース１７の一端側を混合水栓１８の本体部に接続し、他端側を支持管２２に連通させて吐水具１６と接続する。引きばね１４４は一端をシャワーホース１７に挿通されたホースガイド２６と接続され、他端はパネル１４裏面内に設置された水受けトレイ１４内の下面に設けた係止部に接続する。
【００３２】
以上の組み上げ品をパネルユニットとして、洗面台１０の取付面上に取付ける。この場合、洗面ボウル１２のバックガードにパネル１３の凹部を嵌め込みパネル１３を壁面にビスで固定する。またミラーキャビネット１５がある場合はこのパネル上にミラーキャビネットを設置して壁にビスで固定すれば良い。続いて、水配管１９、湯配管２０の下端側を、建物側に設置した止水栓８１、８２にそれぞれ接続する。そして、洗面ボウル１２に接続された排水トラップ８３を建物の排水配管に接続すれば、この洗面化粧台の据付け作業は終了する。
【００３３】
【発明の効果】
第１の発明では、洗面ボウルの上方に設置されたパネルにおいて、シャワーホースを介して接続された吐水具を自在に引き出せる水栓本体が該パネルに取付けられ、該パネルの裏面側に該水栓本体から連通された該シャワーホースを収容し、該シャワーホースから伝わる水を受ける略四角柱状で上面が開放された水受けトレイを該パネルの裏面内に該パネルと一体的に設けたことを特徴とする洗面化粧台を提供する。
本発明によれば、水受けトレイをパネル裏面内に設置して、洗面台内へは該水受けトレイと接続された排水ホースが垂れ下がってくるだけである為、洗面台内は十分な収納スペースを確保できる。また、水受けトレイは水栓が装着されたパネルと一体となっているため、洗面化粧台の施工時に別途水受けトレイを設置する手間が省け、容易に施工を実施できる。
第２の発明では、請求項１において、該シャワーホースを挿通して外周を自由に動くことが可能な環状の係止具と接続された弾性体が、前記水受けトレイ内の下面部と接続されてなる、該シャワーホースの該水受けトレイ内への収納を補助するシャワーホース収容補助装置を、該水受けトレイ内に備えていることを特徴とする洗面化粧台を提供する。
本発明によれば、シャワーホースにストッパー等の別部品を設けてシャワーホースの引出し代を制限することなく、シャワーホースをすべて引き出した場合でも再び容易に水受けトレイにシャワーホースを収容できる。さらに引き出し自在なシャワーホース用水栓がパネルに設置され、シャワーホースの収納経路が湾曲した場合でも容易に水受けトレイ内に収納することができる。また、全てシャワーホースを引き出した場合でも水栓取付面下方にできるＵ字形状をした余長分を無くすことが出来る為、シャワーホースの材料費を安価にすることができ、かつ、寒冷地で使用する場合でもこの部分の水抜き栓設置が不要になる。従って、特別に寒冷地専用品を揃える必要がないため製品管理コストも安価にすることができる。
第３の発明では、請求項１、請求項２に記載の水受けトレイに溜まった水を排水する為の水抜き口が該水受けトレイ下面部に設けられ、かつ、開閉装置を一端に備えた排水ホースが該水抜き口に接続されていることを特徴とする洗面化粧台を提供する。
本発明によれば、水受けトレイをパネル内でコンパクトに設定でき、洗面台内の収納スペースを狭めることなく水受けトレイに溜まった水を排水することができる。また排水ホースの長さが自由に設定できる為、洗面台の前面の開閉扉付近まで届く程の排水ホース長さを設定すると、排水ホース先端にある開閉装置を取扱う排水作業も容易に行うことができる。
【図面の簡単な説明】
【図１】本件発明の一実施の形態である洗面化粧台の洗面台とパネルとミラーキャビネットの分解斜視図である。
【図２】図１で示される洗面化粧台のパネルの正面図である。
【図３】図１で示される洗面化粧台のパネルの裏面図である。
【図４】図３において、シャワーホースが最大限に引き出された場合のパネル裏面図である。
【図５】図２で示されるパネルの支持管部の断面図である。
【図６】図２において、シャワーホースが最大限に引き出された場合の断面図である。
【図７】図２で示されるパネルの混合水栓部の断面図である。
【図８】図１で示される洗面化粧台の正面図である。
【図９】図１で示される洗面化粧台の洗面ボウルとパネルとミラーキャビネットの一部の側面図である。
【図１０】従来技術の一実施の形態であるパネル正面図を示す。
【符号の説明】
１  ：洗面化粧台
１０：洗面台
１１：キャビネット
１２：洗面ボウル
１３：パネル
１４：水受けトレイ
１５：ミラーキャビネット
１６：吐水具
１７：シャワーホース
１８：混合水栓
１９：給水管
２０：給湯管
２１：排水ホース
２１ａ：排水ホース
２２：支持管
２３：別部品
２４：パッキン
２５：ねじ
２６：ホースガイド
２７：カバー
２８：結束バンド
８１：止水栓
８２：止水栓
８３：排水トラップ
９１：ストッパー
９２：シャワーホース
１００：開口部
１１１：開閉扉
１２１：バックガード
１３２：鉛直面
１３３：上面部
１３３ａ：ボス
１３４：バックガード
１３５：ビス穴
１４１：開口部
１４２：シャワーホース収容補助装置
１４３：トレイの下面
１４４：引きばね
２１１：ホースクリップ
２１２：水抜き栓
２２０：排水用穴
【図１】
2004255028.tif 000003
【図２】
2004255028.tif 000004
【図３】
2004255028.tif 000005
【図４】
2004255028.tif 000006
【図５】
2004255028.tif 000007
【図６】
2004255028.tif 000008
【図７】
2004255028.tif 000009
【図８】
2004255028.tif 000010
【図９】
2004255028.tif 000011
【図１０】
2004255028.tif 000012